(57)【要約】【課題】本発明の課題は、軸筒本体に、キャップを容易に着脱自在に装着でき、転がり防止用突起にヒケが発生し難いキャップ式筆記具を簡単な構造で提供することである。【解決手段】本発明は前記課題を解決するために、筆記具本体に、合成樹脂製からなるキャップを着脱自在に装着するキャップ式筆記具であって、前記キャップの外壁面に、転がり防止用突起を形成するとともに、該転がり防止用突起の側壁に、凹部を形成したことを特徴とするものである。【選択図】      図１
2008055746.tif 000002
【特許請求の範囲】
【請求項１】
筆記具本体に、合成樹脂製からなるキャップを着脱自在に装着するキャップ式筆記具であって、前記キャップの外壁面に、転がり防止用突起を一体に形成するとともに、該転がり防止用突起の側壁に、凹部を形成したことを特徴とするキャップ式筆記具。
【請求項２】
前記キャップが、前記転がり防止用突起の近傍にゲート跡を形成したことを特徴とする請求項１に記載のキャップ式筆記具。
【発明の詳細な説明】
【技術分野】
【０００１】
本発明は、筆記具本体に、合成樹脂製からなるキャップを着脱自在に装着するキャップ式筆記具に関する。
【背景技術】
【０００２】
従来から、筆記具本体に、合成樹脂製からなるキャップを着脱自在に装着するキャップ式筆記具はよく知られている。こうした筆記具のキャップは、筆記具本体に着脱自在に装着するため、軸筒の外壁面と筆記具用キャップの内壁との乗り越し嵌合、凹凸嵌合等によって装着されている。
【０００３】
軸筒とキャップを凹凸嵌合や乗り越し嵌合とすることは、キャップを容易に着脱できるので、利便性は高いが、繰り返しの使用や経時によって、嵌合力が低下する。そのため、軸筒と筆記具用キャップの初期の嵌合力を高くする必要があるが、キャップを軸筒から着脱し難くなるという問題があった。
【０００４】
こうした問題を鑑みて、特開平０９−６６６９４号公報「筆記具のキャップ」に、特殊な樹脂材料を用いることによって、耐衝撃性や耐摩耗性に優れた筆記具のキャップが開示されている。
【特許文献１】「特開平０９−６６６９４号公報」
【発明の開示】
【発明が解決しようとする課題】
【０００５】
しかしながら、特殊な材料を用いることは、製品コストが高騰し、低価格品には不向きであるとともに、成形条件変更による寸法精度のバラツキや経時試験等の新たな課題が発生する。
【０００６】
また、キャップが小さい場合や、キャップの外壁が光沢面等の場合も、軸筒からキャップを取り外す時に、滑りやすく、力を加えに難いために、キャップの取り外しが困難である。そのため、キャップに付設したクリップを滑り止めとして、キャップを着脱することがあった。
【０００７】
ところで、クリップを設けていないキャップは、キャップを筆記具本体に装着又はキャップを外した状態であっても、机などに置いた場合には、キャップ本体が回転してしまい、机から落下する等の不具合が生じる。そのため、キャップの外壁面に転がり防止用の突起を形成していた。
【０００８】
この転がり防止用突起は、キャップの外壁から頂部までの長さ（高さ）が短いと、キャップが回転した時に、その遠心力等によって、容易に突起を乗り越えてしまい、回転を防止し難いという問題がある。
【０００９】
そのため、キャップの外壁から頂部までの距離（高さ）を長くして転がり防止用突起の乗り越しを防止することが好ましい。また、キャップの外壁から頂部までの距離（高さ）を長くすることによって、キャップの着脱の時に、指等が当接しやすく好ましい。
【００１０】
また、周方向の長さ（幅）を長くして、回転可能な距離を短くすることで、遠心力も小さくなり、結果として転がり防止用突起の乗り越しを防止することができる。更にまた、周方向の長さ（幅）を長いほうが、キャップの着脱の時に、指等が当接し易く好ましい。
【００１１】
しかし、合成樹脂製のキャップの場合には、肉厚が厚いと成形時に圧力不足等によるヒケ現象を生じてしまう問題があった。そのため、従来の転がり防止用突起は、キャップの外壁からの頂部までの距離（高さ）や、周方向の長さ（幅）を長くすることは困難であった。
【００１２】
本発明の目的は、軸筒本体に、キャップを容易に着脱自在に装着でき、転がり防止用突起にヒケが発生し難いキャップ式筆記具を簡単な構造で提供することにある。
【課題を解決するための手段】
【００１３】
本発明は前記目的を達成するために、筆記具本体に、合成樹脂製からなるキャップを着脱自在に装着するキャップ式筆記具であって、前記キャップの外壁面に、転がり防止用突起を一体に形成するとともに、該転がり防止用突起の側壁に、凹部を形成したことを特徴とする。
【００１４】
また、前記キャップが、前記転がり防止用突起の近傍にゲート跡を形成したことを特徴とする。
【発明の効果】
【００１５】
本発明の筆記具は前述したような構造なので、軸筒本体に、キャップを容易に着脱自在に装着でき、転がり防止用突起にヒケが発生し難いキャップ式筆記具を簡単な構造で提供することができた。
【発明を実施するための最良の形態】
【００１６】
本発明の実施例を図面を用いて説明する。同じ部材、同じ箇所を示すものは同じ符号を付す。
【００１７】
図１から図４に示す実施例１のキャップ式筆記具１は、前軸２と後軸３とを連結した軸筒本体内に、筆記具用インキ（図示せず）を直詰めしたインキ収容筒９の先端に、ボールを回転自在に抱持したボールペンチップ１１を、チップホルダー１０を介して装着したボールペンレフィルを配設した筆記具本体と、ポリカーボネート樹脂（ＰＣ樹脂）で射出成形にて形成した透明のキャップ４とを、前軸２の外壁に形成した嵌合凸部２ａと、キャップ４の内壁に形成した嵌合突部４ａの乗り越し嵌合によって、着脱自在に装着して、キャップ式筆記具１を得ている。
【００１８】
また、キャップ４の外壁には、転がり防止用突起６を一体に成形し、頭冠６を二色成形により形成してあり、この頭冠７の内部にペン先部を密閉するシール部材８を付設してある。この転がり防止用突起６は、頂面６ｂの高さが最も高い頂部Ｔからキャップ本体２の先端部の外壁面に向かって徐々に小さくなる傾斜状に形成してある。更にまた、前軸２の把持部にはグリップ部材１２を装着してある。
【００１９】
キャップ４は、外壁を光沢面とし、キャップ４の後端部に微細な凹凸を一体に形成した梨地面からなる滑り止め部５を周状に形成してある。この滑り止め部と他の部分の境界線は波形状に形成してある。
【００２０】
転がり防止用突起６は、側壁に凹部６ａを形成し、図４に示すように横断面において、略Ｔ字状とすることによって、キャップ４の外壁からの距離（高さ）Ｌが長く、頂面５ｂの周方向の長さ（幅）Ｍを長くしても、キャップの肉厚Ｐよりも薄い薄肉部Ｑができるので、成形時に樹脂が流れ易くヒケ現象が発生し難い。
【００２１】
尚、転がり防止用突起６の側壁に形成する凹部６ａの形成位置は、転がり防止用突起６の側壁の全体に形成することが好ましいが、特にキャップ４の外壁からの距離（高さ）Ｌが最も長くなる頂部Ｔ近傍は、ヒケが発生し易いので、少なくとも頂部Ｔに対応する側壁に凹部６ａを形成することが好ましい。また、凹部６ａの形状は特に限定されるものではなく、図示はしていないが、凹部６ａに紐など挿通するために、連通する挿通穴を形成してあってもよい。
【００２２】
ところで、前述した通り、樹脂成形ではゲートについて色々と検討されている。一般的にゲートの近傍と遠方とでは、成形圧力に差がでるので、成形品の樹脂密度、流動性等に影響がでてくる。また、固化する冷却時間差によるヒケや歪みも出てくる。こうした現象は、ゲートから離れた位置や偏肉部で発生し易い。また、射出成形を用いる場合には、成形品に必ずゲート跡が残るという問題を抱えている。
【００２３】
そのため、転がり防止用突起６の先端面６ｃ近傍に、ゲート跡Ｇを形成することによって、転がり防止用突起６を形成した偏肉部であってもヒケが発生し難くなるとともに、転がり防止用突起６によって、キャップの着脱時等で指がゲート跡Ｇに当接し難くすることができるので好ましい。
【００２４】
キャップ４の前軸２との装着方法は、着脱自在に装着してあれば、ネジ嵌合、凹凸嵌合、乗り越し嵌合等、特に限定されるものではないが、凹凸嵌合や乗り越し嵌合の場合は、繰り返しの使用や経時によって、嵌合力が低下する恐れがあるため、初期の嵌合力を高くしてあるので、転がり防止用突起６の外壁からの距離（高さ）Ｌや周方向の長さ（肉厚）Ｍを長くするとともに、転がり防止用突起６の側壁に凹部６ａを形成することによって形成される段部にも指が当接しやすいので、キャップの着脱が容易になる。
【００２５】
本実施例では、便宜上、キャップをポリカーボネートで形成してあるが、ＡＳ樹脂やＰＰ樹脂等の合成樹脂材料など、キャップして一般的に用いられる合成樹脂材料のなかから適宜選定すればよい。
【産業上の利用可能性】
【００２６】
本発明のキャップ式筆記具は、キャップを着脱自在に装着したキャップ式筆記具であれば、ボールペンやマーカーなど、インキの種類やペン先形状等、筆記体や、軸筒等の形状や内部構造等、筆記具本体に限定されることなく実施することができる。
【図面の簡単な説明】
【００２７】
【図１】本発明のキャップ式筆記具を示す、縦断面図である。
【図２】図１におけるＡ−Ａ断面図である。
【図３】実施例１のキャップを筆記具本体に装着した状態を示す、一部省略した図である。
【図４】図２におけるキャップを取り外した状態を示す図である。
【符号の説明】
【００２８】
１  キャップ式筆記具
２  前軸
２ａ  嵌合凸部
３  後軸
４  キャップ
４ａ  嵌合突部
５  滑り止め部
６  転がり防止用突起
６ａ  凹部
６ｂ  頂面
６ｃ  先端面
７  頭冠
８  シール部材
９  インキ収容筒
１０  チップホルダー
１１  ボールペンチップ
【図１】
2008055746.tif 000003
【図２】
2008055746.tif 000004
【図３】
2008055746.tif 000005
【図４】
2008055746.tif 000006